(57)【要約】【課題】筐体内部を外部から完全に遮断し、筐体内部への水や埃の侵入を防止する。【解決手段】方形状の筐体２の開口部２ａに、略中央部に方形状に窪ませて形成した検知部５を設けた蓋板４を被着する。該蓋板４の検知部５における壁面に、光線を照射する発光素子７と、該発光素子７から照射された光線を受光する受光素子８とを対置する。該受光素子８の受光を遮断したときに、蓋板４の裏面に組み付けた制御器９から扉制御部に開扉用信号を出力する。蓋板４を硬質樹脂をもって一体成形する。また、筐体２の深さを３０乃至４０ｍｍとする。【選択図】図８
0003133825.tif 000002
【実用新案登録請求の範囲】
【請求項１】
方形状の筐体の開口部に、略中央部に方形状に窪ませて形成した検知部を設けた蓋板を被着し、該蓋板の検知部における壁面に、光線を照射する発光素子と、該発光素子から照射された光線を受光する受光素子とを対置し、該受光素子の受光を遮断したときに扉制御部に開扉用信号を出力するようになした自動扉用フットスイッチにおいて、前記蓋板を硬質樹脂をもって一体成形したことを特徴とする自動扉用フットスイッチ。
【請求項２】
筐体を、その深さを３０乃至４０ｍｍとしてなる請求項１記載の自動扉用フットスイッチ。
【請求項３】
筐体内に発光素子と受光素子の制御器を組み込み、これらを筐体内において結線してなる請求項１又は２記載の自動扉用フットスイッチ。
【考案の詳細な説明】
【技術分野】
【０００１】
本考案は自動扉用フットスイッチに関するものである。
【背景技術】
【０００２】
病院の手術室或いは工場等における自動扉の多くは、その開閉スイッチとして壁面の下部に設置するフットスイッチを用いている。それは、これらの場所においては消毒等をした手を他のものに触れさせたくないという配慮からである。
【０００３】
該フットスイッチは、壁面に埋め込む方形状の筐体の開口部に、略中央部に方形状に窪ませて形成した検知部を設けた蓋板を被着し、該蓋板の検知部における壁面に、光線を照射する発光素子と、該発光素子から照射された光線を受光する受光素子とを対置し、該受光素子の受光を遮断したときに扉制御部に開扉用信号を出力するようになしたものである。
【０００４】
而して、斯かる従来のフットスイッチにはいくつかの問題点がある。
先ず、第１の問題点は、筐体と蓋板が、そのいずれもステンレスの板を折曲して形成されていることによるものである。即ち、ステンレスの板を折曲して箱形に成形する場合には、折曲して突き合わせる角部において隙間無く完全に突き合わせることは困難であり、少なからず隙間ができることになる。そしてこの隙間を埋めるために溶接しようとすると、溶接焼けを起こし、品質が低下することになる。このため溶接をしないことが多い。
【０００５】
そして、特に蓋板に隙間があると、この隙間から内部に水や埃等が浸入し、電気系統の故障や火災の原因となる。また、特に病院の手術室にあっては手術後に水洗いして消毒するが、このときに筐体内に水や消毒液か浸入する虞れがある。また、粉末を扱う食品工場等にあっては筐体内に粉末が侵入して電気系統の故障が起こり易かった。
【０００６】
第２の問題点は、筐体の深さが一般的に７０乃至８０ｍｍと、相当な深さがあることによるものである。即ち、フットスイッチを取り付ける壁の厚味は近時益々薄くなり、このため筐体の全部を壁に埋め込むことができず、その開口部側の一部を壁面より突出させざるを得なくなる。そしてその結果、フットスイッチの前面側が壁面から大きく突き出した状態となって邪魔になるものである。
【０００７】
第３の問題点は、発光素子と受光素子の制御器を筐体外の扉制御部内に設け、発光素子と受光素子を該制御器にシールド線で結線していたことによるものである。この場合には現場でのシールド線の配線が面倒で、スイッチの設置作業に手間取ることになる。
【考案の開示】
【考案が解決しようとする課題】
【０００８】
本考案は上記の点に鑑みなされたものであって、従来のフットスイッチにおける上記問題点を悉く解消することができるようになした自動扉用フットスイッチを提供せんとするものである。
【課題を解決するための手段】
【０００９】
而して、本考案の要旨とするところは、方形状の筐体の開口部に、略中央部に方形状に窪ませて形成した検知部を設けた蓋板を被着し、該蓋板の検知部における壁面に、光線を照射する発光素子と、該発光素子から照射された光線を受光する受光素子とを対置し、該受光素子の受光を遮断したときに扉制御部に開扉用信号を出力するようになした自動扉用フットスイッチにおいて、前記蓋板を硬質樹脂をもって一体成形したことを特徴とする自動扉用フットスイッチにある。この場合には、角部において隙間が全くないから、筐体内部を外部から完全に遮断することができるものである。
【００１０】
また、上記構成において、筐体を、その深さを３０乃至４０ｍｍとした場合には、現在におけるフットスイッチを取付ける壁面の全てに対応することができるものである。
【００１１】
また、上記構成において、筐体内に発光素子と受光素子の制御器を組み込み、これらを筐体内において結線するようにした場合には、現場でのシールド線の配線に手間どることがなく、フットスイッチの設置作業を能率よく行うことができるものである。
【考案の効果】
【００１２】
本考案は上記の如き構成であり、蓋板を硬質樹脂をもって一体成形したものであるから、その角部において従来品の如き隙間が全くないものである。したがって、筐体内部を外部から完全に遮断することができる。よって、水や埃等の侵入による電気系統の故障や火災の発生を未然に防止することができるものである。また、樹脂をもって成形したものであるから、錆びることがなく、且つまた低コストで済むものである。
【００１３】
また、筐体の深さを３０乃至４０ｍｍと浅くした場合には、現在におけるフットスイッチを取付ける壁面の全てに対応することができ、筐体の全体を壁に埋め込むことができるものである。したがって、フットスイッチの前面側が従来の如く大きく壁面から突き出ることがないものである。
【００１４】
また、筐体内に発光素子と受光素子の制御器を組み込み、これらを筐体内において結線した場合には、現場でのシールド線の配線に手間どることがなく、フットスイッチの設置作業を能率よく行うことができるものである。
【考案を実施するための最良の形態】
【００１５】
本考案を実施するための最良の形態は、蓋板を硬質樹脂をもって一体成形したことにあり、そしてまた、筐体は、その深さを３０乃至４０ｍｍとし、更に筐体内に発光素子と受光素子の制御器を組み込み、これらを筐体内において結線することにある。
【実施例】
【００１６】
以下、本考案の実施例について説明する。
図１は本考案の実施例に係るフットスイッチの正面図、図２は同背面図、図３は本考案の実施例に係るフットスイッチにおける筐体の正面図、図４は図３中Ａ−Ａ線断面図、図５は蓋板の正面図、図６は図５中Ｂ−Ｂ線断面図、図７は発光素子と受光素子及びそれらの制御器を組み付けた蓋板の背面図、図８は本考案の設置状態の断面図である。
【００１７】
図中、１は自動扉用フットスイッチである。２はステンレスからなる方形状の筐体であり、開口部２ａを壁面Ｗと同一平面として壁面Ｗの下部に埋め込まれるものである。また、該筐体２は、その深さＨを４０ｍｍとしている。尚、該筐体２の深さは、本実施例においては４０ｍｍとしているが、設置する壁面に応じて３０乃至４０ｍｍの範囲内で適宜に決定される。更にまた、該筐体２の底部には、後記連結ビスを螺合するための雌ネジ３ａを刻設した連結板３、３を取着している。
【００１８】
４は前記筐体２の開口部２ａに被着する蓋板であり、硬質樹脂をもって一体成形している。また、該蓋板４はその略中央部に方形状に窪ませて形成した検知部５を設けている。尚、該検知部５は、奥に行くに従って窄まるように壁面を傾斜させている。また、該検知部５の底部には四隅にビス挿通孔５ａ、５ａを設けてあり、該ビス挿通孔５ａ、５ａに挿通する連結ビス６、６を前記筐体２の連結板３に刻設した雌ネジ３ａに螺合することによって蓋板４を筐体２に結合一体化させるものである。また、該蓋板４の裏面において前記検知部５の上部に位置する部分には、後記制御器を固着するためのビスを螺合する雌ネジ４ａを刻設した突起４′を設けている。
【００１９】
７は前記蓋板４の検知部５の壁面に取着した、光線（赤外線）を照射する発光素子、８は検知部５の壁面に取着した、前記発光素子７から照射された光線を受光する受光素子であり、これら発光素子７と受光素子８は対置している。尚、本実施例においては、これら発光素子７と受光素子８は、蓋板４の検知部５における左右側の壁面に取着している。
【００２０】
９は前記発光素子７と受光素子８の制御器であり、前記受光素子８の受光を遮断したときに扉制御部（図示せず。）に開扉用信号を出力するものである。また、該制御器９は、前記蓋板４の裏面にビス１０、１０をもって固着している。そして、該制御器９と発光素子７及び受光素子８とは、筐体２内においてシールド線１１、１１をもって結線している。尚、１２は扉制御部への配線、１３は電源への配線である。また、その他図中１４は靴を示す。
【００２１】
次に上記実施例の作用について説明する。
図８に示す如く、蓋板４の検知部５に靴１４の先端が入ると、受光素子８の受光が遮断され、制御器９から扉制御部に開扉用信号を出力するものである。
【００２２】
また、蓋板４は硬質樹脂をもって一体成形したものであるから、その角部において従来品の如き隙間が全くないものである。したがって、筐体２の内部を外部から完全に遮断することができるものである。
【００２３】
また、筐体２は、その深さＨを４０ｍｍとして薄くしているから、現在におけるフットスイッチを取り付ける壁面の全てに対応することができるものである。
【００２４】
また、発光素子７と受光素子8 の制御器９は、蓋板４の裏面にビス１０、１０をもって固着し、これら制御器９と発光素子７及び受光素子８とは、筐体２内においてシールド線１１、１１をもって結線しているものであることから、従来の如く現場でのシールド線の配線に手間どることがなく、フットスイッチの設置作業を能率よく行うことができるものである。
【図面の簡単な説明】
【００２５】
【図１】本考案の実施例に係るフットスイッチの正面図である。
【図２】本考案の実施例に係るフットスイッチの背面図である。
【図３】本考案の実施例に係るフットスイッチにおける筐体の正面図である。
【図４】図３中Ａ−Ａ線断面図である。
【図５】蓋板の正面図である。
【図６】図５中Ｂ−Ｂ線断面図である。
【図７】発光素子と受光素子及びそれらの制御器を組み付けた蓋板の背面図である。
【図８】本考案の設置状態の断面図である。
【符号の説明】
【００２６】
１  自動扉用フットスイッチ
２  筐体
３  連結板
４  蓋板
５  検知部
６  連結ビス
７  発光素子
８  受光素子
９  制御器
１０  ビス
１１  シールド線
【図１】
0003133825.tif 000003
【図２】
0003133825.tif 000004
【図３】
0003133825.tif 000005
【図４】
0003133825.tif 000006
【図５】
0003133825.tif 000007
【図６】
0003133825.tif 000008
【図７】
0003133825.tif 000009
【図８】
0003133825.tif 000010